(57)【要約】      （修正有）【課題】釣り糸の挟持性能がよく、後付けが可能で構造が簡単な釣り糸係止装置及び該釣り糸係止装置を備えた魚釣り用リールを提供する。【解決手段】釣り糸係止装置Ｓは、糸係止部材と複数のエラストマー製リング部材８とを備え、糸係止部材は、軸筒の両端に鍔状の支持部５を形成し、支持部の一方には軸筒と同一中心軸となる貫通穴を有する筒状脚部６を連設した構成とし、複数のエラストマー製リング部材は、その中心軸を一致させて積み重ねた状態で糸係止部材における鍔状の支持部に挟まれ、釣り糸１０を挟持する。【選択図】図９
0003190158.tif 000002
【実用新案登録請求の範囲】
【請求項１】
糸係止部材と複数のエラストマー製リング部材とを備え、
前記糸係止部材は、軸筒の両端に鍔状の支持部を形成し、該支持部の一方には前記軸筒と同一中心軸となる貫通穴を有する筒状脚部を連設した構成とし、
前記複数のエラストマー製リング部材は、その中心軸を一致させて積み重ねた状態で糸係止部材における前記鍔状の支持部に挟まれた軸筒に嵌装してなることを特徴とする釣り糸係止装置。
【請求項２】
リール本体の外面に露呈するネジ穴に対して、請求項１記載の釣り糸係止装置の軸中心を一致させて当該釣り糸係止装置の脚部の端面を前記ネジ穴周縁に当接し、
前記糸係止部材の長さに前記ネジ穴へ螺合に必要な寸法を加えた長さを有する雄螺子部を有するネジを、前記糸係止部材の他端に開口する貫通穴から挿通し、前記ネジとネジ穴とを螺合して前記糸係止部材をリール本体の外面に固着することを特徴とする釣り糸係止装置の魚釣り用リールに対する取付構造。
【請求項３】
リール本体の外面に露呈するネジ穴に対して、請求項１記載の釣り糸係止装置の軸中心を一致させて当該釣り糸係止装置の脚部の端面を前記ネジ穴周縁に当接し、
前記糸係止部材の長さに前記ネジ穴へ螺合に必要な寸法を加えた長さを有する雄螺子部を有するネジを、前記糸係止部材の他端に開口する貫通穴から挿通し、前記ネジとネジ穴とを螺合して前記糸係止部材をリール本体の外面に固着したことを特徴とする釣り糸係止装置を備えた魚釣り用リール。
【考案の詳細な説明】
【技術分野】
【０００１】
本考案は、魚釣り用リールのスプールに巻回された釣り糸の先端部を係止するための釣り糸係止装置、該釣り糸係止装置の魚釣り用リールに対する取付構造及び該釣り糸係止装置を備えた魚釣り用リールに関する。
【背景技術】
【０００２】
特許文献１に開示されているように、従来の釣り糸係止装置として、両軸型リールのリール側板外側面の外端に係止円板を有する摺動軸を嵌着すると共に該摺動軸をリール側板内面において発条で内方に付勢する皿状発条の係止円板をリール側板の間に密接させて、皿状発条の係止円板に取り付けて搖動軸を係止ビスで固定した係止円板とリール側板の間で釣り糸を係止する構成が公知である。
【０００３】
また、特許文献２に開示されているように、従来の釣り糸係止装置として、スピニングリールのスプール円筒の外周面の釣糸捲着量表示帯に鋲着したスプールに於いて釣糸捲着量表示帯の上に上部を大径に下部を小径の弾性材よりなる傘状の釣糸挟着樹脂片を同時に鋲着して糸係止部を形成したもので、スプール円筒の外周面の釣糸捲着表示帯に傘状の釣糸挟着樹脂片を鋲着して釣糸捲着表示帯と傘状の釣糸挟着樹脂片間で釣り糸を係止する構成が公知である。
【先行技術文献】
【特許文献】
【０００４】
【特許文献１】実開昭５３−２３７９４号公報
【特許文献２】実開昭５６−８１８３号公報
【考案の概要】
【考案が解決しようとする課題】
【０００５】
特許文献１に記載の考案は、リール側板と係止円板で釣り糸を挟持するに際してリール本体の内部に設けた皿状の発条によって弾性を付与するものとしている。当該構成によれば常にリール側板に対して係止円板のみが摺動可能な状態で突出しているため、指等が係止円板に触れることで釣り糸が外れやすい欠点がある。特に釣り糸が細い場合には、僅かな摺動によっても外れやすくなる傾向がある。また当該構成によれば、構造が複雑で、部品点数が多い欠点を有している。
【０００６】
更に、当該機構はリール本体の内部に係止ビスや皿状の発条を取付ける構造であることから、当該リールの製造時において何ら問題はないが、このような機構を備えないリールに対して後付けすることができないものであった。
【０００７】
特許文献２に記載の考案は、スピニングリールに適した釣り糸係止装置であり、部品点数を削減し、構造をより簡素化するものである。
しかしながら、当該特許文献２に記載の考案によれば、上部を大径に下部を小径の弾性材よりなる傘状の釣糸挟着樹脂片を鋲着して糸係止部を形成した構成であるため、特に釣り糸が細い場合には、挟持力が不足し易く、釣り糸が外れやすい傾向がある。
【０００８】
また、鋲着によって釣り糸係止装置が構成されるものであるから、当該鋲を脱着することが出来ず、また特許文献１に係る考案と同様に、当該機構を備えないリールに対して後付けすることができないものであった。
【０００９】
更に、上記従来の釣り糸係止装置はいずれも、釣り糸の外れを防止すべく、釣り糸を強く押さえつけようとする構成であったことから、釣り糸の表面に痕跡、傷を生じることがあり、釣り糸の当該箇所は使用できないため切断せざるを得ず、釣り糸の損失を招来していた。
【００１０】
本考案は上記のごとき太い釣り糸から細い釣り糸までをより確実に係止させることができ、複雑な形状を有することなく、且つ、既存の魚釣り用リール（例えば、両軸型リールやスピニングリール等）においても後付けが可能となり、更には釣り糸の表面への痕跡、傷の発生を低減できる優れた釣り糸係止装置、及び当該釣り糸係止装置の魚釣り用リールに対する取付構造、ならびに当該釣り糸係止装置を備えた魚釣り用リールの提供を、考案が解決しようとする課題とする。
【課題を解決するための手段】
【００１１】
かかる課題を解決するため、糸係止部材と複数のエラストマー製リング部材とを備え、前記糸係止部材は、軸筒の両端に鍔状の支持部を形成し、該支持部の一方には前記軸筒と同一中心軸となる貫通穴を有する筒状脚部を連設した構成とし、前記複数のエラストマー製リング部材は、その中心軸を一致させて積み重ねた状態で糸係止部材における前記鍔状の支持部に挟まれた軸筒に嵌装してなることを特徴とする釣り糸係止装置を、課題を解決するための手段とする。
【００１２】
また本考案は、リール本体の外面に露呈するネジ穴に対して、上記記載の釣り糸係止装置の軸中心を一致させて当該釣り糸係止装置の脚部の端面を前記ネジ穴周縁に当接し、前記糸係止部材の長さに前記ネジ穴へ螺合に必要な寸法を加えた長さを有する雄螺子部を有するネジを、前記糸係止部材の他端に開口する貫通穴から挿通し、前記ネジとネジ穴とを螺合して前記糸係止部材をリール本体の外面に固着することを特徴とする魚釣り用リールに対する上記釣り糸係止装置の取付構造を、課題を解決するための手段とする。
【００１３】
また本考案は、リール本体の外面に露呈するネジ穴に対して、上記記載の釣り糸係止装置の軸中心を一致させて当該釣り糸係止装置の脚部の端面を前記ネジ穴周縁に当接し、前記糸係止部材の長さに前記ネジ穴へ螺合に必要な寸法を加えた長さを有する雄螺子部を有するネジを、前記糸係止部材の他端に開口する貫通穴から挿通し、前記ネジとネジ穴とを螺合して前記糸係止部材をリール本体の外面に固着したことを特徴とする上記釣り糸係止装置を備えた魚釣り用リールを、課題を解決するための手段とする。
【考案の効果】
【００１４】
請求項１に係る考案によれば、糸係止部材と複数のエラストマー製リング部材とを備え、前記糸係止部材は、軸筒の両端に鍔状の支持部を形成し、該支持部の一方には前記軸筒と同一中心軸となる貫通穴を有する筒状脚部を連設した構成とし、前記複数のエラストマー製リング部材は、その中心軸を一致させて積み重ねた状態で糸係止部材における前記鍔状の支持部に挟まれた軸筒に嵌装したことから、エラストマー製リング部材間に嵌り込み釣り糸が掛け止めされる。この際に、対向するエラストマー製リング部材の夫々における釣り糸と接触する箇所が弾性変形することで、断面視略Ｖ字状輪郭をなすように対向する斜面を形成して柔軟かつ強力に釣り糸を挟持、係止する。このため非常に簡素な構成によって、釣り糸の細いものから太いものまで幅広く釣り糸の表面に痕跡、傷をつけることなく軽く強固に挟持、係止することができる。
【００１５】
請求項２に係る考案によれば、リール本体の外面に露呈するネジ穴に対して、上記記載の釣り糸係止装置の軸中心を一致させて当該釣り糸係止装置の脚部の端面を前記ネジ穴周縁に当接し、前記糸係止部材の長さに前記ネジ穴へ螺合に必要な寸法を加えた長さを有する雄螺子部を有するネジを、前記糸係止部材の他端に開口する貫通穴から挿通し、前記ネジとネジ穴とを螺合して前記糸係止部材をリール本体の外面に固着することを特徴とする魚釣り用リールに対する上記釣り糸係止装置の取付構造としたことから、リール本体の外面に露呈するネジ穴を用いることによって、当該魚釣り用リールの外側から、種々のタイプの魚釣り用リールに対して、適用することができる。
【００１６】
ここで前記ネジ穴は、既存の魚釣り用リールのリール本体の外面に設置される雄螺子の脱着により露呈するネジ穴を利用することもできる。当該ネジ穴の利用によって、極めて簡単に上記糸係止部材を取着できる。
また、前記ネジ穴は、工具によって魚釣り用リールの外側面に対して穿設することもできる。リール本体の外面に新たにネジ穴を設けて、釣り糸の係止装置をネジで固定することによっては、使用勝手の良い巻回に邪魔のならない個所に釣り糸の係止装置を取り付けることができ、釣り糸の係止装置の取り付け位置も自由に設定変更できる。
【００１７】
また、糸係止部材がリール本体の外面に当接可能な脚部を有することによって、当該外面に露呈するネジ穴及びその周縁が周囲よりも窪んだ凹所に配置される場合であっても、当該凹所へ筒状脚部を差し込むことで、容易に取付を行うことができる。
【００１８】
請求項３に係る考案によれば、上記請求項１に係る糸係止部材を備え、上記請求項２に係る取付構造を用いることによって、簡素な構成で、釣り糸の細いものから太いものまで幅広く釣り糸の表面に痕跡、傷をつけることなく強固に挟持、係止可能な利点を備えた種々のタイプの魚釣り用リールを提供することが出来る。また、当該構成は、魚釣り用リールの製造段階での取付けることのみならず、市場へ流通した後に、当該糸係止部材を取付けることによっても、当該種々のタイプの魚釣り用リールを構成することができる。
【図面の簡単な説明】
【００１９】
【図１】釣り糸係止部材の斜視図である。
【図２】釣り糸係止部材の筒軸にゴム製リングを積み重ねるように嵌装した状態の斜視図である。
【図３】図３（ａ）は、釣り糸係止部材の筒軸にゴム製リングを嵌装した状態の正面図である。図３（ｂ）は図３（ａ）の右側面図である。
【図４】図４（ａ）は図３（ａ）の左側面図である。図４（ｂ）は図３（ａ）のＡ−Ａ線断面図である。
【図５】リール本体の外面に釣り係止装置を取り付けた正面図である。
【図６】リールに釣り糸係止装置を取り付ける前の各部品の分解説明断面図である。
【図７】釣り糸とリール本体の外面に釣り糸係止装置を取り付けた状態の一部省略断面図である。
【図８】図７の釣り糸とリール本体の外面に釣り糸係止装置を取り付けて部材の筒軸にゴム製リングを嵌装した状態の一部省略断面図である。
【図９】図７の釣り糸とリール本体の外面に釣り糸係止装置を取り付けて部材の筒軸にゴム製リングを嵌装した状態に釣り糸を挟持、係止させた状態の一部省略断面図である。
【考案を実施するための形態】
【００２０】
以下、本考案の実施の形態を図面に基づいて詳細に説明する。尚、実施の形態は以下に示す実施例に限定されるものではない。
【実施例】
【００２１】
図１乃至図９は本考案の実施例に係る釣り糸係止装置Ｓを示すものであり、図１は糸係止部材９の斜視図、図２は釣り糸係止装置Ｓの斜視図、図３（ａ）は図２の正面図、図３（ｂ）は右側面図あり、図４（ａ）は図３（ａ）の左側面図、図４（ｂ）は図３（ａ）のＡ―Ａ断面図、図５はリール本体１の外面１１に釣り糸係止装置Ｓを取り付けた状態の正面図、図６はリール本体１の外面１１に釣り糸係止装置を取り付ける前の各部品の分解説明断面図、図７はリール本体１の外面１１に釣り糸係止装置Ｓを取り付けた状態の断面図、図８は釣り糸１０とリール本体１の外面１１に釣り糸係止装置Ｓを取り付けた状態の断面図、図９はリール本体１の外面１１に釣り糸係止装置Ｓに釣り糸１０を係止させた状態の縦断面図である。
【００２２】
軸筒は長さ３．４ｍｍであり、該軸筒４の両側に直径７ｍｍ、厚さ１ｍｍの鍔状の支持部５、５を設け、更に、該支持部５の一方に長さ５ｍｍの筒状脚部６を連設する。当該構成によって中央に直径３ｍｍの貫通穴７を連通した糸係止部材９を構成する。また、本実施例において、これら糸係止部材９は、防錆及び強度の観点からステンレス製（ＳＵＳ３０６Ｌ）を使用している。
【００２３】
前記筒状脚部６に一定の長さを確保してリールＲの周囲の螺子、溝、凹凸部分より少し突出させて釣り糸の係止に邪魔にならないように形成している。
【００２４】
本実施例においては、貫通穴７は直径３ｍｍとしており、一般に流通する魚釣り用リールに使用されるネジ穴２ｍｍ、２．５ｍｍ、３ｍｍに対応が容易な直径寸法のものとしている。
【００２５】
軸及び筒状脚部６の直径は４ｍｍとし、前記貫通穴７はネジ２が嵌るよう内径が３ｍｍの貫通穴７を連通させ、前記鍔状の支持部５の角を落として鍔状の支持部５，５に挟まれた軸筒４間に二個以上のエラストマー製リング部材であるシリコンゴム製Ｏリング８．８を積み重ねるように嵌装させた構成である。
【００２６】
上記構成の実施例に係る釣り糸係止装置Ｓの魚釣り用リールへの取付構造および当該釣り糸係止装置を備えた魚釣り用リールＲについて、以下に説明する。
【００２７】
既存の魚釣り用リールＲにおけるリール本体１の外面１１に取り付けられている図示されない取り付けネジの一本をネジ穴３から脱着する。
次に筒状脚部の先端側を当該ネジ穴３の周縁に当接し、他端に露呈する貫通穴７から所定の長さ、即ち少なくとも糸係止部材９の長さに前記ネジ穴３へ螺合に必要な寸法を加えた長さを有する雄螺子部を有するネジ２を挿通し、前記ネジ穴３に螺合させることにより、釣り糸係止装置Ｓを当該魚釣り用リールＲのリール本体１の外面１１に固着する。
以上によって、ネジ穴３面上に釣り糸係止装置Ｓの取付構造が実現し、当該釣り糸係止装置Ｓを備えた魚釣り用リールＲが構成される。
【００２８】
本実施例に係る釣り糸係止装置Ｓの取付構造並びに釣り糸係止装置Ｓを備えた魚釣り用リールは、前記軸筒４間に二個以上のシリコンゴム製Ｏリング８を積み重ねるように嵌装したので、シリコンゴム製Ｏリングの間に釣り糸を掛け止めすることにより、シリコンゴム製のＯリングが弾性変形して釣り糸を強力に挟持、係止されるため、釣り糸の細いものから太いものまで幅広く強固に係止することができる。そして釣り糸係止装置Ｓは巻き終わりの糸の端部が釣り糸係止装置Ｓのゴム製Ｏリング間に挟持、係止されて、スプールに巻回された釣り糸のほつれを防止する。
【００２９】
本考案は、上記実施例に限らず、例えば、釣り糸係止装置Ｓの各部寸法は任意に設定することができる。また、エラストマー製リング部材は釣り糸を挟持するために２個以上あればよくその数量は問わない。
【００３０】
また、エラストマー製リング部材はシリコンゴム製に限定されるものではなく、その他の天然ゴム、合成ゴム、又は弾性を有する合成樹脂等とすることができる。リング部材の断面形状は、円形、楕円形、菱形、角形等とすることができる。即ち、対向するエラストマー製リング部材の夫々における釣り糸と接触する箇所が弾性変形することで、断面視略Ｖ字状輪郭をなすように対向する斜面を形成して柔軟に釣り糸を挟持、係止する形状、材質のものであればよい。
【００３１】
本考案において使用する糸係止部材９は上記実施例においてはステンレス製のものを用いているが、本考案では上記実施例に限定されるものではなく、種々の他の金属とすることもできるし、耐候性、強度が確保できる限り合成樹脂等を用いることもできる。
【符号の説明】
【００３２】
１      リール本体
２      ネジ
３      ネジ穴
４      軸筒
４Ａ    軸筒
５      鍔状の支持部
６      筒状脚部
７      貫通穴
８      ゴム製リング
９      糸係止部材
１０      釣り糸
１１      外面
Ｓ      釣り糸係止装置
Ｒ      魚釣り用リール
【図１】
0003190158.tif 000003
【図２】
0003190158.tif 000004
【図３】
0003190158.tif 000005
【図４】
0003190158.tif 000006
【図５】
0003190158.tif 000007
【図６】
0003190158.tif 000008
【図７】
0003190158.tif 000009
【図８】
0003190158.tif 000010
【図９】
0003190158.tif 000011